(57)【特許請求の範囲】
【請求項１】
吸液性と柔軟性のある紙製棒状フロスからなり、この紙製棒状フロスの先端から後端に至る全体をピアスホール内を通過させる構成のピアスホールの掃除具であって、該棒状フロスの液含浸部は掃除液を含浸することにより少なくとも直径方向に膨潤する構成であり、棒状フロスの液含浸部と反対側の端部には着色コーティング部を形成したことを特徴とするピアスホールの掃除具。
【請求項２】
容器本体の内筒の頂部に差込み用開口を形成し、この内筒の底部に底体を形成し、この内筒を囲うように配設される外筒を内筒と一体形成状に設け、この内筒の外壁と外筒の内壁とで貯留空間を形成し、この貯留空間の液充填用開口を外筒の底部に形成し、前記外筒の上端には上キャップを着脱自在に冠設し、前記外筒の下端には下キャップを水密状態で着脱自在に冠設した容器本体の内筒の内部に棒状フロスを収納し、この棒状フロスは吸液性と柔軟性のある紙製棒状フロスからなり、この紙製棒状フロスの先端から後端に至る全体をピアスホール内を通過させる構成のピアスホールの掃除具であって、該棒状フロスの液含浸部は掃除液を含浸することにより少なくとも直径方向に膨潤する構成であり、棒状フロスの液含浸部と反対側の端部には着色コーティング部を形成したことを特徴とするピアスホールの掃除具セット。
【請求項３】
前記容器本体の内筒の内部に棒状フロスを収納し、前記貯留空間には掃除液としてミントウォータを充填したことを特徴とする請求項２に記載のピアスホールの掃除具セット。
【請求項４】
前記容器本体の差込み用開口から、棒状フロスの着色コーティング部が突出可能となるように内筒の深さ寸法を形成したことを特徴とする請求項２又は３に記載のピアスホールの掃除具セット。
【発明の詳細な説明】
【０００１】
【発明の属する技術分野】
本発明はピアスホールの掃除具及びピアスホールの掃除具セットに係り、特に、ピアスを取り付けるために耳朶に開けたピアスホールを手間をかけずに手軽に掃除することができるピアスホールの掃除具及びピアスホールの掃除具セットに関する。
【０００２】
【従来の技術】
一般に、耳朶に取り付けて使用する装身具としてピアスが知られており、このピアスとして、耳朶に孔（以下、「ピアスホール」という）を開け、このピアスホールにピアスの針（ピアスポスト）を差し込んで装着するタイプのものが知られている。
【０００３】
ここでピアスホールは比較的小径の孔であるため掃除がしずらく、多くの場合はピアスホールを掃除しないままにしておくことがあり、時折、ピアスホールを掃除する場合には、濡れナプキン等が使用されていた。
【０００４】
【発明が解決しようとする課題】
しかし、本人自身が濡れナプキンを使用して鏡を見ながらピアスホールの掃除をする場合には、細かい箇所の掃除であるということから思うような掃除をすることは難しく、手間や時間をかけた割には、ピアスホールの内部をきれいにすることはできなかった。
【０００５】
さらにピアスホールの内部をきれいにするためには、例えば第三者に手助けしてもらうことも考えられるが、その場合はいつでも自由に掃除がでるわけではない点で問題があった。
【０００６】
このような問題点に鑑み、本件発明者は先に実用新案登録第３０８０２５４号の紙製の棒状フロスからなるピアスホールの掃除具を提案した。
しかしながら、先のピアスホールの掃除具は使用前の状態で、棒状フロスの中央付近を太径に形成したため、収納や保管時に掃除具が嵩張ったり、取り扱いに不便があり、かつ使用の直前に消毒液等を塗布する構成でもなかったので消毒液の相乗効果を発揮することはできなかった。
【０００７】
本発明は、上記の問題点を全て解消して、使い勝手を向上させたピアスホールの掃除具及びピアスホールの掃除具セットを提供せんとするものである。
【０００８】
【課題を解決するための手段】
上記目的を達成するために請求項１記載の発明は、吸液性と柔軟性のある紙製棒状フロスからなり、この紙製棒状フロスの先端から後端に至る全体をピアスホール内を通過させる構成のピアスホールの掃除具であって、該棒状フロスの液含浸部は掃除液を含浸することにより少なくとも直径方向に膨潤する構成であり、棒状フロスの液含浸部と反対側の端部には着色コーティング部を形成したことを特徴とするピアスホールの掃除具である。
【０００９】
上記したピアスホールの掃除具によれば、第三者の手助けを借りることなく、本人自身でピアスホールを簡単に掃除することができ、棒状フロスの収納保管時には嵩張らず、その使用の直前には棒状フロスの液含浸部の位置が、着色コーティング部の存在により一目で判別でき（何らかの理由で、一旦手を離れた棒状フロスであっても、容易に判別可能となる）、この液含浸部に掃除液を含浸させたり、ピアスホールに棒状フロスを挿通させることが容易となり、もって効率のよい掃除が可能となる。
【００１０】
つぎに請求項２に記載した発明は、容器本体の内筒の頂部に差込み用開口を形成し、この内筒の底部に底体を形成し、この内筒を囲うように配設される外筒を内筒と一体形成状に設け、この内筒の外壁と外筒の内壁とで貯留空間を形成し、この貯留空間の液充填用開口を外筒の底部に形成し、前記外筒の上端には上キャップを着脱自在に冠設し、前記外筒の下端には下キャップを水密状態で着脱自在に冠設した容器本体の内筒の内部に棒状フロスを収納し、この棒状フロスは吸液性と柔軟性のある紙製棒状フロスからなり、この紙製棒状フロスの先端から後端に至る全体をピアスホール内を通過させる構成のピアスホールの掃除具であって、該棒状フロスの液含浸部は掃除液を含浸することにより少なくとも直径方向に膨潤する構成であり、棒状フロスの液含浸部と反対側の端部には着色コーティング部を形成したことを特徴とするピアスホールの掃除具セットである。
【００１１】
上記したピアスホールの掃除具セットによれば、容器本体の内筒には棒状フロスを収納することができ、外筒と内筒の間には掃除液を充填することができ、コンパクトで全体の体裁が良いので使い易く、携帯性にも優れた掃除具セットが得られる。
【００１２】
つぎに請求項３記載の発明は、前記容器本体の内筒の内部に棒状フロスを収納し、前記貯留空間には掃除液としてミントウォータを充填したことを特徴とする請求項２に記載のピアスホールの掃除具セットである。
【００１３】
上記したピアスホールの掃除具セットを使用するには、まず容器本体の内筒の頂部から上キャップを外して差込み用開口を開き、その差込み用開口から突出している棒状フロスの一端、即ち着色コーティング部を摘んで取り出す。
つぎに、上キャップを閉めて差込み用開口を閉じた後、容器本体を反転させて底部を上向きにし、ついで容器本体の下キャップを外して貯留空間の液充填用開口を開き、続いてこの液充填用開口から棒状フロスの液含浸部を差し込んで貯留空間内のミントウォータに浸け、このミントウォータで棒状フロスの液含浸部を僅かに膨潤させる。
【００１４】
液含浸部が膨潤した棒状フロスを容器本体から取り出し、液充填用開口に下キャップを冠設してミントウォーター液の漏出を防止する。また棒状フロスの一端側（着色コーティング部側）をピアスホールに差し込んで、ピアスホールの反対側からこれを引き抜くと、棒状フロスの液含浸部はミントウォータで膨潤しているので、ピアスホールの内周壁面が棒状フロスの外周で程よく圧接され、ミントウォータによりピアスホールをきれいに掃除できる。
【００１５】
また、請求項４記載の発明は、前記容器本体の差込み用開口から、棒状フロスの着色コーティング部が突出可能となるように内筒の深さ寸法を形成したことを特徴とする請求項２又は３に記載のピアスホールの掃除具セットである。
【００１６】
内筒の深さ寸法を上記の通りとしたので、上キャップを外すと棒状フロスが取り出し易い状態で内筒内に収納されるので、棒状フロスの取り扱い易さが一層向上することとなる。
【００１７】
【発明の実施の形態】
以下添付図面に基づいて、本発明に係るピアスホールの掃除具及びピアスホールの掃除具セットの一実施の形態を詳説する。
図１は本発明に係るピアスホールの掃除具の正面図、図２は本発明に係る掃除具セットの容器本体の縦断面図、図３〜図６は本発明に係る掃除具セットの使用方法を説明する図面、図７は本発明に係る掃除具セットの販売形態の一例を示す斜視図である。
【００１８】
先ず図１の掃除具は、吸液性と柔軟性のある製紙棒状フロス２２で形成され、特に和紙を使用することが好ましい。この棒状フロス２２は、掃除液（消毒液２４）を含浸すると少なくとも直径方向に膨潤する構成である。このため、使用前は嵩張らず取り扱い易く、使用の直前に棒状フロス２２の液含浸部２２ｂに掃除液２４を浸すことにより、ピアスホール２５ａの内周壁に程よく圧接することになる。
【００１９】
また、この棒状フロス２２の一端２２ａには着色コーティング部２３が形成されており、この着色コーティング部２３は棒状フロス２２の上下方向を明確にする目印となるほか、コーティング樹脂の作用で棒状フロス２２が膨潤しないので、指でこの部分を摘んでも手を汚すことがなく、さらにピアスホールにこの着色コーティング部２３の側を挿通するのに大変便利となる。
【００２０】
つぎに図２に示す容器本体１０は、内筒１１の頂部１１ａに差込み用開口１２を形成し、内筒１１の底部には底体１１ｂを備えている。この内筒１１を囲うように外筒１４を内筒１１と一体形成することで、内筒１１の外壁と外筒１４の内壁とで貯留空間１６が形成され、この貯留空間１６の液充填用開口１４ｃが外筒１４の底部１４ａに形成されている。
外筒１４の上端１４ｂには上キャップ１８が着脱自在に冠設され、外筒１４の底部１４ａには下キャップ２０が水密状態で着脱自在に冠設されている。
差込み用開口１２から内筒１１内に、ピアスホールの掃除具として使用される棒状フロス２２が収納され、一方貯留空間１６には掃除液として使用するミントウォータ２４が充填されている。
【００２１】
容器本体１０の内筒１１は円筒状に形成され、その頂部１１ａの近傍には、外筒１４の上端１４ｂが一体形状で連結されている。外筒１４は、内筒１１と同様に円筒状に形成され、外筒１４の上端１４ｂには上キャップ１８を嵌め込むための小径の嵌合部１５が形成され、その嵌合部１５の外周には突条部１５ａが環状に形成されている。
この突条部１５ａに上キャップ１８の開口１８ａの近傍の内周に形成された環状溝１８ｂが嵌め込まれ、上キャップ１８を内筒１１の頂部１１ａに係止して、上キャップ１８で内筒１１の差込み用開口１２を閉塞できるようになっている。
【００２２】
上キャップ１８は、外筒１４の嵌合部１５に係止された際に、その天井部１８ｃが嵌合部１５の頂部から所定間隔Ｈだけ高くなるように形成されている。このため、内筒１１の差込み用開口１２から突出した棒状フロス２２の上端（一端）２２ａを上キャップ１８でカバーすることができる。
これにより、棒状フロス２２の一端２２ａ（着色コーティング部２３側）を差込み用開口１２から突出させることができ、棒状フロス２２を簡単に内筒１１から取り出せるようになり、容器本体１０の使い勝手が向上する。
【００２３】
内筒１１の外側には外筒１４が形成され、この外筒１４で内筒１１を囲うことで、外筒１４の内壁と内筒１１の外壁とで貯留空間１６を形成している。このように、内筒１１を外筒１４で囲うことで貯留空間１６を形成し、容器本体１０の全体の長さを抑えた状態で、貯留空間１６の深さ寸法Ｄを十分に深く確保することができ、容器本体１０のコンパクト化を図ることができる。
【００２４】
また、貯留空間１６の深さ寸法Ｄを十分に深く確保することで、この貯留空間１６にミントウォータ２４を蓄えた際に、ミントウォータ２４の層の深さを十分に確保することができ、棒状フロス２２の液含浸部２２ｂを効率よくミントウォータ２の中に浸けることができるので、この点でも使い勝手が向上する。
【００２５】
この貯留空間１６の液充填用開口１４ｃが外筒１４の底部１４ａに形成されており、この液充填用開口１４ｃに下キャップ２０が水密状態で着脱自在に冠設されている。
【００２６】
棒状フロス２２は、吸液性と柔軟性があり、肌にやさしい和紙等をより合わせて棒状に加工したもので、その一端２２ａをピアスホール２５ａ（図４、図５参照）に差し込み易くするために、その一端２２ａに着色コーティング部２３を形成しており、この着色コーティング部２３は着色された樹脂を塗布することで完成されているので、棒状フロスを持ち易くするように固め、これによりピアスホールに差し込む際の取り扱い易さが優れたものとなる。
なお、棒状フロス２２の反対側の液含浸部２２ｂには着色コーティング部を形成していないから、液含浸部２２ｂ部分はミントウォータ２４を吸い込み易くなる。
【００２７】
ミントウォータ２４の一例を説明すると、原液の外観は無色透明の液体で、原液の比重は２０℃において０．９７３、原液のｐＨは２０℃において５．０８である。
このミントウォータ２４は、精製水に清涼剤として経時的な安定性の高いメントールが０．５％含まれ、また防腐効果の高いアルコールが２０％含まれ、さらに殺菌剤が配合され、さらに消炎効果のある薬剤も配合されている。
なお、ミントウォータ２４に代えて、例えば市販の消毒液を使用することも可能で、これにより同様の殺菌・消毒効果を得ることもできる。
【００２８】
つぎに、容器本体１０から棒状フロス２２を取り出し、その棒状フロス２２で耳朶２５のピアスホール２５ａ（図５、図６参照）を掃除する際の使用例を図３〜図６に基づいて説明する。
まず、図３に示すように外筒１４の嵌合部１５から上キャップ１８を外して差込み用開口１２を開き、棒状フロス２２の一端２２ａを指２６で摘んで、差込み用開口１２から棒状フロス２２を取り出し、ついで上キャップ１８を閉めて差込み用開口１２を閉じた後、容器本体１０を反転させて外筒１４の底部１４ａを上向きにセットする。
【００２９】
ついで、図４に示すように下キャップ２０を外して貯留空間１６の液充填用開口１４ｃを開き、この液充填用開口１４ｃから棒状フロス２２の液含浸部２２ｂを貯留空間１６に差し込んで、液含浸部２２ｂにミントウォータ２４を含浸させる。
棒状フロス２２の液含浸部２２ｂが膨潤した後、棒状フロス２２を取り出し、液充填用開口１４ｃを下キャップ２０で冠設して封止する。
【００３０】
つぎに、図５に示すように棒状フロス２２の一端２２ａ（着色コーティング部２３側）を耳朶２５のピアスホール２５ａにゆっくり差し込み、ついで図５に示すようにピアスホール２５ａから突出した一端２２ａを引っ張って、ピアスホール２５ａから棒状フロス２２をゆっくりと引き抜く（図６参照）。
【００３１】
棒状フロス２２の液含浸部２２ｂはミントウォータ２４を吸い込んで膨潤しているので、ピアスホール２５ａの内壁に液含浸部２２ｂの外周を程よく接触させながら、ミントウォータ２４でピアスホール２５ａの内壁をきれいに清掃することができる。
このようにして、ピアスホール２５ａの掃除に使用する棒状フロス２２を簡単に得ることができ、かつこの棒状フロス２２を使用してピアスホール２５ａを手軽に掃除することができる。
【００３２】
つぎに、掃除具セット３０の販売形態の一例を図７に基づいて説明する。
図７に示すように、容器本体１０と、その貯留空間１６に充填されるミントウォータ２４を入れた瓶容器２８をひとまとめにして、ピアスホールの掃除具セット３０として販売する。
なお、容器本体１０には複数本の束にした棒状フロス２２が、図２に示す状態で収納されている。
【００３３】
ピアスホールの掃除具セット３０を使用する際には、ミントウォータの瓶容器２８の蓋２９を開いた後、容器本体１０の下キャップ２０を開き、ついでミントウォータの瓶容器２８を傾けて、外筒１４の液充填用開口１４ｃから貯留空間１６内にミントウォータ２４を充填し、その後下キャップ２０で液充填用開口１４ｃを水密状態に閉じる。
これにより、図３〜図６で説明したように、ピアスホールの容器本体１０内に棒状フロス２２とミントウォータ２４をセットしたものが得られ、続いて前述の要領で棒状フロスを取り出してピアスホール２５ａの掃除をすることができる。
【００３４】
この掃除具セット３０はコンパクトに形成されているので鏡台の前に置いても邪魔になることはなく、またハンドバッグなどの中にも簡単に入れることができるので、携帯にも適している。
【００３５】
【発明の効果】
以上述べたように、請求項１のピアスホールの掃除具によれば、第三者の手助けを借りることなく、本人自身でピアスホールを簡単に掃除することができ、棒状フロスの収納保管時には嵩張らず、その使用の直前には棒状フロスの液含浸部の位置が、着色コーティング部の存在により一目で判別でき、この液含浸部に掃除液を含浸させたり、ピアスホールに棒状フロスを挿通させることが容易となり、もって効率のよい掃除が可能となる効果がある。
【００３６】
つぎに、請求項２のピアスホールの掃除具セットによれば、容器本体の内筒には棒状フロスを収納することができ、外筒と内筒の間には掃除液を充填することができ、コンパクトで全体の体裁が良いので使い易く、携帯性にも優れた掃除具セットが得られるという効果がある。
【００３７】
請求項３のピアスホールの掃除具セットによれば、液含浸部が膨潤した棒状フロスを容器本体から取り出し、液充填用開口に下キャップを冠設してミントウォーター液の漏出を防止する。また棒状フロスの一端側（着色コーティング部側）をピアスホールに差し込んで、ピアスホールの反対側からこれを引き抜くと、棒状フロスの液含浸部はミントウォータで膨潤しているので、ピアスホールの内周壁面が棒状フロスの外周で程よく圧接され、ミントウォータによりピアスホールをきれいに掃除できるという効果がある。
【００３８】
さらに請求項４のピアスホールの掃除具セットによれば、内筒の深さ寸法を上記の説明の通りとしたので、上キャップを外すと棒状フロスが取り出し易い状態で内筒内に収納されるので、棒状フロスの取り扱い易さが一層向上する効果がある。
【図面の簡単な説明】
【図１】  本発明に係るピアスホールの掃除具の正面図である。
【図２】  本発明に係る掃除具セットの容器本体の縦断面図である。
【図３】  本発明に係る掃除具セットの使用方法を説明する図面である。
【図４】  同上。
【図５】  同上。
【図６】  同上。
【図７】  本発明に係る掃除具セットの販売形態の一例を示す斜視図である。
【符号の説明】
１０…容器本体
１１…内筒
１１ａ…内筒の頂部
１１ｂ…内筒の底体
１２…差込み用開口
１４…外筒
１４ａ…外筒の底部
１４ｂ…外筒の上端
１４ｃ…液充填用開口
１５…嵌合部
１５ａ…突条部
１６…貯留空間
１８…上キャップ
１８ａ…上キャップの開口
１８ｂ…環状部
１８ｃ…天井部
２０…下キャップ
２２…棒状フロス
２２ａ…棒状フロスの一端
２２ｂ…棒状フロスの液含浸部
２３…着色コーティング部
２４…ミントウォータ
２５…耳朶
２５ａ…ピアスホール
２８…ミントウォータの瓶容器
２９…蓋
３０…掃除具セット
【図１】
0003755874.tif 000002
【図２】
0003755874.tif 000003
【図３】
0003755874.tif 000004
【図４】
0003755874.tif 000005
【図５】
0003755874.tif 000006
【図６】
0003755874.tif 000007
【図７】
0003755874.tif 000008